(57)【要約】【課題】凹部を有する便器本体と、凹部を塞ぐカバー部材と、を備える便器装置において、凹部とカバー部材との隙間を低減することで、意匠性を向上させることができる便器装置を提供すること。【解決手段】側面に形成された凹部２０を有する便器本体２と、凹部２０を塞ぐカバー部材３と、を備える便器装置１であって、カバー部材３は、カバー本体３０と、カバー本体３０の周縁部から突出すると共にカバー本体３０が凹部２０を塞いだ状態において凹部２０を構成する凹部構成面２１を押圧する弾性部３２１と、を有する。【選択図】図３
2017040046.tif 000002
【特許請求の範囲】
【請求項１】
側面に形成された凹部を有する便器本体と、
前記凹部を塞ぐカバー部材と、を備える便器装置であって、
前記カバー部材は、カバー本体と、前記カバー本体の周縁部から突出すると共に前記カバー本体が前記凹部を塞いだ状態において前記凹部を構成する凹部構成面を押圧する弾性部と、を有する便器装置。
【請求項２】
前記弾性部は、前記カバー本体が前記凹部を塞いだ状態において、前記凹部構成面の下部を押圧する請求項１に記載の便器装置。
【請求項３】
前記カバー部材は、前記カバー本体の周縁部における前記弾性部と対向する位置に配置されると共に前記凹部の周縁部に係合する係合部を有する請求項１又は２に記載の便器装置。
【請求項４】
前記凹部構成面と前記弾性部との間に配置され、前記弾性部に係合するくさび部材を更に備える請求項１から３のいずれかに記載の便器装置。
【請求項５】
前記便器本体は、一対の前記凹部と、一対の前記凹部を接続する貫通部と、を有し、
前記便器装置は、前記貫通部を貫通して一対の前記カバー部材を接続する弾性接続部材を更に備える請求項１から４のいずれかに記載の便器装置。
【発明の詳細な説明】
【技術分野】
【０００１】
本発明は、側面に形成された凹部を有する便器本体と、凹部を塞ぐカバー部材と、を備える便器装置に関する。
【背景技術】
【０００２】
従来、側面に形成された凹部を有する便器本体と、凹部を塞ぐカバー部材と、を備える便器装置が知られている（例えば、特許文献１参照）。特許文献１に記載の便器装置においては、カバー部材は、外側が凹むように便器本体側に湾曲させた状態で、凹部を塞ぐように、便器本体の側部に取り付けられている。これにより、カバー部材における湾曲した状態から復元しようとする力により、凹部とカバー部材との隙間を低減することで、意匠性を向上させることができるとされる。
【先行技術文献】
【特許文献】
【０００３】
【特許文献１】特開２０１１−６４０５７号公報
【発明の概要】
【発明が解決しようとする課題】
【０００４】
ところで、便器装置において、外側に膨らんだ形状としたい場合がある。この場合に、外側が凹むように便器本体側に湾曲させた状態でカバー部材を便器本体に取り付けると、凹部とカバー部材との隙間がより広がることになり、意匠性が損なわれる可能性がある。
【０００５】
本発明は、側面に形成された凹部を有する便器本体と、凹部を塞ぐカバー部材と、を備える便器装置において、凹部とカバー部材との隙間を低減することで、意匠性を向上させることができる便器装置を提供することを目的とする。
【課題を解決するための手段】
【０００６】
本発明は、側面に形成された凹部を有する便器本体と、前記凹部を塞ぐカバー部材と、を備える便器装置であって、前記カバー部材は、カバー本体と、前記カバー本体の周縁部から突出すると共に前記カバー本体が前記凹部を塞いだ状態において前記凹部を構成する凹部構成面を押圧する弾性部と、を有する便器装置に関する。
【０００７】
また、前記弾性部は、前記カバー本体が前記凹部を塞いだ状態において、前記凹部構成面の下部を押圧することが好ましい。
【０００８】
また、前記カバー部材は、前記カバー本体の周縁部における前記弾性部と対向する位置に配置されると共に前記凹部の周縁部に係合する係合部を有することが好ましい。
【０００９】
また、前記凹部構成面と前記弾性部との間に配置され、前記弾性部に係合するくさび部材を更に備えることが好ましい。
【００１０】
また、前記便器本体は、一対の前記凹部と、一対の前記凹部を接続する貫通部と、を有し、前記便器装置は、前記貫通部を貫通して一対の前記カバー部材を接続する弾性接続部材を更に備えることが好ましい。
【発明の効果】
【００１１】
本発明によれば、側面に形成された凹部を有する便器本体と、凹部を塞ぐカバー部材と、を備える便器装置において、凹部とカバー部材との隙間を低減することで、意匠性を向上させることができる便器装置を提供することができる。
【図面の簡単な説明】
【００１２】
【図１】本発明の第１実施形態に係る便器装置１の斜視図である。
【図２】本発明の第１実施形態に係る便器装置１のカバー部材３におけるゴム紐４の接続状態を示す断面図である。
【図３】本発明の第１実施形態に係る便器装置１のカバー部材３における下部固定部３２の固定状態を示す斜視図である。
【図４】本発明の第１実施形態に係る便器装置１のカバー部材３における板バネ片３２１の固定状態を示す断面図である。
【図５】本発明の第１実施形態に係る便器装置１の凹部２０を示す斜視図である。
【図６】本発明の第１実施形態に係る便器装置１のカバー部材３を示す斜視図である。
【図７】本発明の第１実施形態に係る便器装置１において、カバー部材３を便器本体２に取り付ける前の状態を示す斜視図である。
【図８Ａ】設計上の基準寸法で便器本体２が製造された場合において、便器装置１のカバー部材３における板バネ片３２１の固定状態を示す図である。
【図８Ｂ】設計上の最小寸法で便器本体２が製造された場合において、便器装置１のカバー部材３における板バネ片３２１の固定状態を示す図である。
【図８Ｃ】設計上の最大寸法で便器本体２が製造された場合において、便器装置１のカバー部材３における板バネ片３２１の固定状態を示す図である。
【図９】本発明の第１実施形態に係る便器装置１において、カバー部材３を便器本体２に取り付けた状態において、便器装置１を下方側から視た斜視図である。
【図１０】第１実施形態の変形形態におけるカバー部材３Ａを示す斜視図である。
【図１１】本発明の第２実施形態に係る便器装置１Ｂのカバー部材３Ｂにおける下部固定部３２Ｂの固定状態を示す斜視図である。
【図１２】本発明の第２実施形態に係る便器装置１Ｂのカバー部材３Ｂにおける溝付き板バネ片３２３の固定状態を示す断面図である。
【図１３】本発明の第２実施形態に係る便器装置１Ｂの凹部を示す斜視図である。
【図１４】本発明の第２実施形態に係る便器装置１Ｂのカバー部材３Ｂを示す斜視図である。
【図１５】本発明の第２実施形態に係る便器装置１Ｂにおいて、カバー部材３Ｂを便器本体２に取り付ける前の状態を示す斜視図である。
【図１６】本発明の第２実施形態に係る便器装置１Ｂにおいて、カバー部材３Ｂを便器本体２に取り付けた状態において、便器装置１Ｂを下方側から視た斜視図である。
【発明を実施するための形態】
【００１３】
以下、本発明の便器装置１の第１実施形態について、図１〜図９を参照しながら説明する。なお、本実施形態においては、便器本体２を正面から視た場合（便器本体２に対面した場合）における左右の向きを左右方向といい、便器本体２を正面から視た場合（便器本体２に対面した場合）における前後の向きを前後方向という。
【００１４】
本実施形態の便器装置１は、壁掛け式の便器装置である。図１〜図４に示すように、便器装置１は、便器本体２と、一対のカバー部材３，３と、弾性接続部材としてのゴム紐４と、便座（図示せず）と、便蓋（図示せず）と、を備える。便座（図示せず）及び便蓋（図示せず）は、便器本体２の上部に配置され、便器本体２に対して開閉可能に取り付けられる。
便器本体２は、取付穴２ａ（図４、図５等参照）を介して、取付ボルト（図示せず）により、トイレ室の壁１０に取り付けられている。
【００１５】
便器本体２は、衛生陶器により形成される。
便器本体２は、図２〜図５に示すように、一対の凹部２０，２０と、貫通部２３と、凹部２０の周縁部の上部に形成される下方突出部２０１（図４参照）と、を有する。便器本体２の一対の凹部２０，２０は、それぞれ、後述するカバー部材３により塞がれている。
【００１６】
凹部２０は、図２〜図５に示すように、便器本体２の側面に形成される。凹部２０は、便器本体２の左右方向の両側に一対形成される。凹部２０は、便器本体２の左右方向の両側の側面から便器本体２の内側に凹むように形成される。凹部２０は、便器本体２の側面の外側に開放する開口２２を有する。開口２２は、側面視で、略台形形状に形成される。
【００１７】
貫通部２３は、図２及び図５に示すように、一対の凹部２０，２０の奥側（内側）において、一対の凹部２０，２０を接続する。貫通部２３は、断面が略三角形状で便器本体２の左右方向に延びる。貫通部２３が一対の凹部２０，２０を接続することで、便器本体２は、左右方向（水平方向）に貫通される。
【００１８】
凹部２０は、図５に示すように、凹部構成面２１により外郭が構成される。凹部２０凹部構成面２１は、便器本体２の内部の壁部の壁面や、配管を構成する壁部の壁面などから構成される。
【００１９】
凹部構成面２１は、便器本体２の左右方向の両側に一対形成されている。一対の凹部構成面２１，２１は、便器本体２の左右方向に対称の構成である。
凹部構成面２１は、図５に示すように、前部構成傾斜面２１１と、後部構成垂直面２１２と、下部構成水平面２１３と、下部構成傾斜面２１４と、上部構成面２１５と、奥部構成円弧面２１６と、奥部構成垂直面２１７と、を有する。
【００２０】
前部構成傾斜面２１１は、凹部２０における便器本体２の前方側において、便器本体２の後方側を向いている。前部構成傾斜面２１１は、下方から上方に向かうにしたがって後方側に傾斜して延びる。
後部構成垂直面２１２は、凹部２０における便器本体２の後方側において、便器本体２の前方側を向いている。後部構成垂直面２１２は、略垂直方向に延びる。
【００２１】
下部構成水平面２１３及び下部構成傾斜面２１４は、凹部構成面２１の下部を構成する。下部構成水平面２１３及び下部構成傾斜面２１４は、凹部２０における便器本体２の前後方向に並んで配置されている。
【００２２】
下部構成水平面２１３は、凹部２０における便器本体２の前方側の底面である。下部構成水平面２１３は、上方側を向いており、略水平方向に延びる。
下部構成傾斜面２１４は、凹部２０における便器本体２の後方側の底面である。下部構成傾斜面２１４は、上方側を向いており、凹部２０の奥側（内側）から手前側（外側）に向かうにしたがって下方に下るように傾斜して延びている。
【００２３】
上部構成面２１５は、凹部２０における便器本体２の上部に形成される面である。上部構成面２１５は、下方側を向いている。上部構成面２１５における手前側（外側）には、凹部２０の周縁部の上部の内面において、下方突出部２０１（図４参照）が形成されている。下方突出部２０１は、上部構成面２１５から下方に突出する。
【００２４】
奥部構成円弧面２１６及び奥部構成垂直面２１７は、凹部２０における便器本体２の奥側（内側）に配置される。奥部構成円弧面２１６は、便器本体２の前方側に形成されており、奥部構成垂直面２１７は、便器本体２の後方側に形成されている。奥部構成円弧面２１６及び奥部構成垂直面２１７は、上方側において連続して形成されており、下方側で凹部２０における貫通部２３を挟んで形成されている。
【００２５】
カバー部材３は、便器本体２の凹部２０を塞ぐ部材である。一対のカバー部材３は、図１〜図４に示すように、便器本体２の凹部２０を塞いだ状態で、便器本体２の左右方向（水平方向）に一対設けられる。一対のカバー部材３，３の形状は、便器本体２の左右方向において対称の形状である。カバー部材３は、樹脂材料で形成される。
【００２６】
一対のカバー部材３，３は、それぞれ、図１〜図４に示すように、便器本体２の凹部２０の開口２２に、便器本体２の側面に沿うように配置される。
カバー部材３は、図６に示すように、カバー本体３０と、係合部としての上部係合片３１と、下部固定部３２と、ゴム紐取付部３３と、前側規制片３４と、後側規制片３５と、を有する。上部係合片３１、下部固定部３２、ゴム紐取付部３３、前側規制片３４及び後側規制片３５は、カバー本体３０の内面に形成される。
【００２７】
カバー本体３０は、図６に示すように、板状に形成され、側面視で略台形形状に形成される。カバー本体３０は、便器本体２の外側に膨らむように湾曲して形成される。カバー本体３０は、便器本体２の凹部２０の開口２２を塞ぐ大きさに形成される。
【００２８】
上部係合片３１は、図６に示すように、カバー本体３０の周縁部の上部の内面に形成される。上部係合片３１は、カバー本体３０の周縁部の下部に形成される下部固定部３２と対向する上部に配置される。上部係合片３１は、板状に形成され、カバー本体３０の周縁部の上部において、カバー本体３０の内面から所定長さ突出し且つ所定長さ突出した位置において上方に屈曲して延びる。上部係合片３１は、カバー本体３０が凹部２０を塞いだ状態において、下方突出部２０１（図４参照）の内側の面に係合される。
【００２９】
前側規制片３４及び後側規制片３５は、カバー本体３０の内面から突出して形成される。前側規制片３４は、カバー本体３０の前方側の縁部に沿って上下方向に延びている。後側規制片３５は、カバー本体３０の後方側の縁部に沿って湾曲して上下方向に延びている。前側規制片３４及び後側規制片３５は、カバー部材３が便器本体２に取り付ける際又はカバー部材３が便器本体２に取り付けられた場合に、カバー部材３の前後方向への移動を規制する。
【００３０】
下部固定部３２は、カバー本体３０の周縁部の下部の内面に形成される。下部固定部３２は、カバー部材３の下部を、便器本体２に固定する。下部固定部３２は、弾性部としての２枚の板バネ片３２１，３２１と、２枚の固定用板片３２２，３２２と、を有する。
【００３１】
２枚の板バネ片３２１，３２１及び２枚の固定用板片３２２，３２２は、板状に形成される。２枚の板バネ片３２１，３２１及び２枚の固定用板片３２２，３２２は、カバー部材３の下部において、カバー本体３０の内面から突出し、先端側が自由端で構成される。２枚の板バネ片３２１，３２１及び２枚の固定用板片３２２，３２２は、便器本体２の前側から後側に向かって、固定用板片３２２、２枚の板バネ片３２１，３２１、固定用板片３２２の順に並んで配置される。
【００３２】
２枚の板バネ片３２１，３２１は、平面状の板材により形成される。２枚の板バネ片３２１，３２１は、同一平面上に並んで配置される。２枚の板バネ片３２１，３２１は、カバー本体３０から離れるにしたがって下方に傾斜するように形成される。
【００３３】
板バネ片３２１は、板バネ片３２１が広がる方向に対して交差する方向に、弾性変形可能に構成される。板バネ片３２１は、図３及び図４に示すように、カバー本体３０が便器本体２の凹部２０を塞いだ状態において、先端側が、凹部構成面２１における下部構成傾斜面２１４に当接して、下部構成傾斜面２１４に沿うように弾性変形して、板バネ片３２１の弾性力により、下部構成傾斜面２１４を押圧する。
【００３４】
２枚の固定用板片３２２，３２２は、図３に示すように、それぞれ、便器本体２の前後方向において、２枚の板バネ片３２１，３２１の両側に配置される。固定用板片３２２は、途中で屈曲した板材により形成される。固定用板片３２２は、カバー本体３０の内面から突出して形成されており、カバー本体３０の内面から屈曲するまでの部分は、板バネ片３２１と同一平面上に形成され、屈曲してから先端までの部分は、カバー部材３が便器本体２に取り付けられた状態において、下部構成傾斜面２１４に沿った傾斜角度で、平面状に形成される。
【００３５】
固定用板片３２２の下面には、図６及び図７に示すように、カバー部材側面ファスナー３２２ａが配置されている。カバー部材側面ファスナー３２２ａは、カバー部材３を便器本体２に取り付けた状態において、凹部構成面２１の下部構成傾斜面２１４に配置される便器側面ファスナー２１４ａ（図７参照）に接合される。
【００３６】
ゴム紐取付部３３は、カバー本体３０の下方の内面において、下部固定部３２よりも便器本体２の前方側に配置される。ゴム紐取付部３３は、方形枠状に形成される。ゴム紐取付部３３には、弾性接続部材としてのゴム紐４が接続される。
【００３７】
ゴム紐４は、図２に示すように、便器本体２の貫通部２３を貫通して配置される。ゴム紐４は、一対のカバー部材３，３のゴム紐取付部３３、３３を接続することで、一対のカバー部材３，３を接続する。一対のカバー部材３，３をゴム紐４で接続することで、ゴム紐４の弾性力により、一対のカバー部材３，３が互いに近づく方向に引っ張られることで、一対のカバー部材３，３は、便器本体２に密着する。これにより、カバー部材３と凹部２０との間の隙間を低減した状態で、カバー部材３を便器本体２に取り付けることができる。
【００３８】
ゴム紐４の長さは、ゴム紐４の長さを調整してゴム紐４をクリップ４１（図２参照）などで固定することで、調整可能である。ゴム紐４の長さは、ゴム紐４の弾性力で左右一対のカバー部材３，３が互いに近づくことにより、カバー部材３が便器本体２に密着する長さが好ましい。
【００３９】
なお、一対のカバー部材３同士をゴム紐４で接続して固定しなくてもよく、一方のカバー部材３と便器本体２の凹部２０に形成された便器側ゴム紐取付部（図示せず）とをゴム紐４で接続して固定してもよい。
【００４０】
また、本実施形態では、カバー部材３が下部固定部３２（２枚の板バネ片３２１，３２１、２枚の固定用板片３２２，３２２）を備えた構成において、一対のカバー部材３，３をゴム紐４で接続するように構成したが、これに限定されない。ゴム紐４は、カバー部材３に下部固定部３２（２枚の板バネ片３２１，３２１、２枚の固定用板片３２２，３２２）を備えない構成において、一対のカバー部材３，３をゴム紐４で接続することにより、カバー部材３を便器本体２に取り付けてもよい。これにより、ゴム紐４の弾性力で、カバー部材３が便器本体２に密着して、カバー部材３と凹部２０との間の隙間を低減することができる。
カバー部材３をゴム紐４で接続してカバー部材３を便器本体２に取り付けた場合には、カバー部材３と共にゴム紐４を引っ張って、カバー部材３を凹部２０の開口２２からずらすだけで、簡単に、便器本体２の凹部２０の内部の点検やメンテナンス等を行うことができる。
【００４１】
次に、第１実施形態において、カバー部材３における下部固定部３２（２枚の板バネ片３２１，３２１、２枚の固定用板片３２２，３２２）を用いて、カバー部材３を便器本体２に取り付ける手順について説明する。第１実施形態においては、一方のカバー部材３を取り付ける手順について説明する。他方のカバー部材３を取り付ける手順については、一方のカバー部材３を取り付ける手順と同様であるため、説明を省略する。
【００４２】
図７に示す状態において、便器本体２の凹部２０を塞ぐように、便器本体２にカバー部材３を取り付ける。まず、カバー部材３の上部係合片３１を、便器本体２の下方突出部２０１（図４参照）よりも凹部２０の内側に配置する。そして、カバー部材３の下部固定部３２（板バネ片３２１及び固定用板片３２２）を、凹部構成面２１の下部構成傾斜面２１４に押し付けるように移動させる。
【００４３】
これにより、図３及び図４に示すように、２枚の板バネ片３２１，３２１は、下部構成傾斜面２１４に当接して、下部構成傾斜面２１４に沿って弾性変形する。そして、２枚の板バネ片３２１，３２１の弾性力により、２枚の板バネ片３２１，３２１は、下部構成傾斜面２１４を押圧する。そのため、板バネ片３２１が下部構成傾斜面２１４を押圧することで、カバー本体３０を変形させずに、カバー部材３を便器本体２に取り付けることができる。よって、カバー本体３０が変形しないため、便器本体２の凹部２０とカバー部材３との隙間が低減されて、意匠性を向上させることができる。
【００４４】
ここで、カバー部材３の下部において板バネ片３２１が下部構成傾斜面２１４を押圧するため、カバー部材３の上部係合片３１には、便器本体２の外側に向かう力が作用する。そのため、上部係合片３１は、下方突出部２０１の内側の面に係合される。これにより、カバー部材３の上部及び下部が便器本体２に固定されることにより、カバー部材３を便器装置１に確実に装着することができる。
【００４５】
ここで、便器本体２には、製造上の寸法のバラツキが生じることがある。例えば、図８Ａに示すように、製造のバラツキを考慮した設計上の基準寸法で便器本体２が製造された場合や、図８Ｂに示すように、製造のバラツキを考慮した設計上の最小寸法で便器本体２が製造された場合や、図８Ｃに示すように、製造のバラツキを考慮した設計上の最大寸法で便器本体２が製造された場合がある。このように便器本体２に製造上の寸法のバラツキが生じた場合であっても、図８Ａ〜図８Ｃに示すように、板バネ片３２１は、下部構成傾斜面２１４を押圧することができる。よって、便器本体２に製造上のバラツキがあっても、カバー本体３０を変形させずに、確実に、カバー部材３を便器本体２に取り付けることができる。
【００４６】
また、２枚の固定用板片３２２，３２２は、カバー部材側面ファスナー３２２ａ及び便器側面ファスナー２１４ａ（図７参照）により固定される。これにより、製造上のバラツキなどで板バネ片３２１に寸法誤差があることにより板バネ片３２１の押圧力が弱くなっている場合であっても、カバー部材３を便器本体２に固定して、便器本体２からのカバー部材３の脱落を低減することができる。
【００４７】
このようにして、図１に示すように、カバー部材３は、凹部２０を塞ぐように、便器本体２に取り付けられる。なお、他方のカバー部材３については、一方のカバー部材３の取り付け手順と同様であるため、他方のカバー部材３の取り付け手順の説明は省略する。
【００４８】
ここで、便器本体２にカバー部材３を取り付けた際には、図９に示すように、便器装置１を斜め下方から視た場合に、カバー部材３の下方において、カバー部材３と便器本体２との間には、下方隙間２０２が形成される。
これにより、便器本体２からカバー部材３を取り外す際には、カバー部材３と便器本体２との間の下方隙間２０２（図９参照）においてカバー部材３に指を引っ掛けることで、カバー部材３を便器本体２から取り外すことができる。
なお、カバー部材３が便器本体２に取り付けられた状態においては、カバー部材３は、板バネ片３２１よりも下方側まで延びており、カバー部材３の下端部は、下方隙間２０２を隠す。そのため、カバー部材３の下方隙間２０２は、図１に示すように、カバー部材３が便器本体２に取り付けられた場合には、上方側からは視認しにくい。よって、便器装置１の意匠性を確保することができる。
【００４９】
次に、第１実施形態において、ゴム紐４を用いて、一対のカバー部材３，３を便器本体２に取り付ける手順について説明する。
図７に示す状態において、ゴム紐４を、一方のカバー部材３のゴム紐取付部３３に接続する。そして、一方のカバー部材３を、一方の凹部２０を塞ぐように、便器本体２に取り付ける。
【００５０】
次に、一方のカバー部材のゴム紐取付部３３に取り付けられたゴム紐４を、一対の凹部２０，１０及び貫通部２３を通らせて、他方の凹部２０側から引っ張る。ゴム紐４を引っ張った状態で、引っ張ったゴム紐４の長さを調節して、ゴム紐４を他方のカバー部材のゴム紐取付部３３に接続する。そして、他方のカバー部材３を、他方の凹部２０を塞ぐように、便器本体２に取り付ける。
【００５１】
このようにして、図２に示すように、ゴム紐４を貫通部２３を貫通させて、一対のカバー部材３，３をゴム紐４で接続して固定できる。そのため、ゴム紐４の弾性力により、便器本体２とカバー部材３との密着性を向上できる。これにより、便器本体２の凹部２０とカバー部材３との隙間を低減することで、意匠性を一層向上させることができる。
【００５２】
以上説明した第１実施形態の便器装置１によれば、以下のような効果を奏する。
本実施形態の便器装置１は、側面に形成された凹部２０を有する便器本体２と、凹部２０を塞ぐカバー部材３と、を備え、カバー部材３は、カバー本体３０と、カバー本体３０の周縁部から突出すると共にカバー本体３０が凹部２０を塞いだ状態において凹部２０を構成する凹部構成面２１を押圧する板バネ片３２１と、を有する。
【００５３】
そのため、カバー部材３Ｂを便器本体２に取り付けた状態において、板バネ片３２１は、下部構成傾斜面２１４を押圧する。これにより、カバー本体３０を変形させずに、カバー部材３を便器本体２に取り付けることができる。よって、便器本体２の凹部２０とカバー部材３との隙間が低減された状態で、カバー部材３を便器本体２に取り付けることができる。これにより、便器装置１の意匠性を向上させることができる。
【００５４】
また、本実施形態においては、板バネ片３２１は、カバー本体３０が凹部２０を塞いだ状態において、凹部構成面２１の下部構成傾斜面２１４を押圧する。そのため、板バネ片３２１は、凹部構成面２１の下部構成傾斜面２１４を、重力方向の下方に向けて押圧する。これにより、板バネ片３２１を下部構成傾斜面２１４に安定して押圧させることができる。また、カバー部材３を便器本体２に取り付ける際に、凹部２０の下部において、板バネ片３２１を下部構成傾斜面２１４に押圧させればよいため、カバー部材３を便器本体２に取り付ける作業が容易となる。
【００５５】
また、本実施形態においては、カバー部材３は、カバー本体３０の周縁部における板バネ片３２１と対向する位置に配置されると共に凹部２０の周縁部に係合する上部係合片３１を有する。板バネ片３２１及び上部係合片３１により、カバー部材３の上部及び下部を便器本体２に固定できるため、カバー部材３を便器装置１に確実に固定することができる。
【００５６】
また、本実施形態においては、便器本体２は、一対の凹部２０，２０と、一対の凹部２０，２０を接続する貫通部２３と、を有し、便器装置１は、貫通部２３を貫通して一対のカバー部材３，３を接続するゴム紐４を更に備える
そのため、ゴム紐４を貫通部２３を貫通させて、一対のカバー部材３，３をゴム紐４で接続できるため、ゴム紐４の弾性力により、便器本体２とカバー部材３との密着性を向上できる。これにより、便器本体２の凹部２０とカバー部材３との隙間を低減することで、意匠性を一層向上させることができる。
【００５７】
次に、第１実施形態の変形形態について説明する。
第１実施形態においては、カバー部材３における下部固定部３２を、２枚の板バネ片３２１，３２１と、２枚の固定用板片３２２，３２２と、で構成したが、これに限らない
例えば、図１０に示すように、カバー部材３Ａにおける下部固定部３２Ａを、４枚の板バネ片３２１，３２１，３２１，３２１により構成してもよい。なお、板バネ片３２１の数は、例えば、１枚、３枚、５枚以上であってもよい。
この場合においても、前記第１実施形態と同様に、板バネ片３２１が下部構成傾斜面２１４を押圧することで、カバー本体３０を変形させずに、便器本体２の凹部２０とカバー部材３との隙間が低減された状態で、カバー部材３を便器本体２に取り付けることができる。これにより、便器装置１の意匠性を向上させることができる。
【００５８】
次に、本発明の第２実施形態に係る便器装置１Ｂの構成について、図１１〜図１６を参照して説明する。なお、第２実施形態では、主に第１実施形態との相違点について説明する。第２実施形態では、第１実施形態と同一又は同等の構成については同じ符号を付して説明する。また、第２実施形態では、第１実施形態と重複する説明を適宜に省略する。
【００５９】
図１１〜図１６に示すように、第２実施形態に係る便器装置１Ｂにおいては、第１実施形態の便器装置１に比べて、くさび部材５を備える点、及び、カバー部材３Ｂの下部固定部３２Ｂの構成が主に異なる。
【００６０】
第２実施形態の便器装置１Ｂは、便器本体２と、カバー部材３Ｂと、くさび部材５と、を備える。第２実施形態の便器本体２は、第１実施形態の便器本体２と同様の構成である。
また、第２実施形態のカバー部材３Ｂの構成において、第２実施形態のカバー部材３Ｂにおけるカバー本体３０、上部係合片３１、ゴム紐取付部３３、前側規制片３４及び後側規制片３５については、図１１〜図１３に示すように、第１実施形態のカバー部材３とほぼ同様の構成である。
そのため、第２実施形態においては、主に、下部固定部３２Ｂ及びくさび部材５の構成について説明する。
【００６１】
下部固定部３２Ｂは、図１３に示すように、カバー本体３０の周縁部の下部の内面に形成される。下部固定部３２Ｂは、弾性部としての１枚の溝付き板バネ片３２３を有する。
【００６２】
溝付き板バネ片３２３は、平面状の板材により形成される。溝付き板バネ片３２３は、カバー本体３０の内面から突出し、先端側が自由端で構成される。
【００６３】
溝付き板バネ片３２３は、図１３に示すように、カバー本体３０から離れるにしたがって下方に傾斜するように形成される。溝付き板バネ片３２３は、溝付き板バネ片３２３が広がる方向に対して交差する方向に、弾性変形可能に構成される。溝付き板バネ片３２３は、図１１及び図１２に示すように、カバー本体３０が便器本体２の凹部２０を塞いだ状態において、先端側が、くさび部材５を押圧することで、凹部構成面２１における下部構成傾斜面２１４に向けて押圧する。
【００６４】
溝付き板バネ片３２３の下面には、便器本体２の前後方向に沿って、直線状の複数の係合溝３２３ａが形成されている。複数の係合溝３２３ａは、便器本体２の前後方向に延び、かつ、便器本体２の左右方向に並んで配置される。
【００６５】
くさび部材５は、カバー部材３が便器本体２に取り付けられた状態において、図１１及び図１２に示すように、凹部構成面２１における下部構成傾斜面２１４とカバー部材３Ｂの溝付き板バネ片３２３との間に配置される。くさび部材５は、樹脂材料で形成される。
【００６６】
くさび部材５は、くさび傾斜部５１と、くさび板状部５２と、を有する。くさび傾斜部５１及びくさび板状部５２は、便器本体２の左右方向に連続して形成されている。くさび傾斜部５１は、便器本体２の凹部２０の奥側（内側）に配置される。くさび板状部５２は、便器本体２の凹部２０の手前側（外側）に配置される。
【００６７】
くさび傾斜部５１は、くさび傾斜面５１１を有する。くさび傾斜面５１１は、くさび部材５が凹部構成面２１における下部構成傾斜面２１４とカバー部材３Ｂの溝付き板バネ片３２３との間に配置された場合に、凹部２０の奥側（内側）から手前側（外側）向かうにしたがって上方側に向かうように傾斜する。
【００６８】
くさび傾斜面５１１は、係合頂部５１１ａを有する。係合頂部５１１ａは、くさび傾斜面５１１における凹部２０の手前側（外側）の頂部である。係合頂部５１１ａは、便器本体２の前後方向に延びている。くさび部材５の係合頂部５１１ａには、カバー部材３Ｂが便器本体２に取り付けられた状態において、溝付き板バネ片３２３の所定の位置に形成される係合溝３２３ａが係合する。
【００６９】
複数の係合溝３２３ａのうちの係合頂部５１１ａに係合する係合溝３２３ａは、溝付き板バネ片３２３がくさび部材５を押圧して弾性変形した状態において、係合頂部５１１ａが係合する位置に形成される係合溝３２３ａである。なお、本実施形態においては、溝付き板バネ片３２３の係合溝３２３ａを複数で構成したが、これに限らず、例えば、係合頂部５１１ａに係合する１つの係合溝３２３ａのみで構成してもよい。
【００７０】
くさび板状部５２は、くさび傾斜部５１に連続して形成される。くさび板状部５２は、くさび傾斜部５１における凹部２０の手前側（外側）に接続され、凹部２０の手前側（外側）に向けて延びている。
【００７１】
くさび板状部５２は、図１４及び図１５に示すように、貫通長孔５２１を有する。貫通長孔５２１は、上下方向に貫通すると共に、くさび板状部５２における凹部２０の手前側（外側）において、便器本体２の前後方向に延びる。貫通長孔５２１は、カバー部材３Ｂが便器本体２に取り付けられた状態において、便器装置１の下方の下方隙間２０２から視認される（図１６参照）。
【００７２】
次に、第２実施形態において、カバー部材３Ｂを便器本体２に取り付ける手順について説明する。なお、第２実施形態の説明において、ゴム紐４を取り付ける説明については、第１実施形態の説明を援用して、その説明を省略する。また、第２実施形態においては、一方のカバー部材３Ｂの取り付け手順について説明する。他方のカバー部材３Ｂの取り付け手順については一方のカバー部材３Ｂの取り付け手順と同様であるため、説明を省略する。
【００７３】
図１５に示す状態において、便器本体２の凹部２０を塞ぐように、便器本体２にカバー部材３Ｂを取り付ける。まず、カバー部材３Ｂの上部において、上部係合片３１を便器本体２の下方突出部２０１よりも凹部２０の内側に配置する。そして、カバー部材３Ｂの下部において、くさび部材５が溝付き板バネ片３２３と下部構成傾斜面２１４との間に配置されるように、溝付き板バネ片３２３をくさび部材５の係合頂部５１１ａに当接させた状態で、凹部２０の奥側（内側）に移動させる。
【００７４】
これにより、図１１及び図１２に示すように、溝付き板バネ片３２３は、くさび部材５に当接した状態で、カバー本体３０から離れるにしたがって上方に傾斜するように弾性変形する。そして、溝付き板バネ片３２３の所定の位置の係合溝３２３ａは、くさび部材５の係合頂部５１１ａに係合する。そして、溝付き板バネ片３２３の弾性力により、溝付き板バネ片３２３は、くさび部材５を押圧することにより、下部構成傾斜面２１４を押圧する。そのため、溝付き板バネ片３２３が下部構成傾斜面２１４を押圧することで、カバー本体３０を変形させずに、カバー部材３Ｂを便器本体２に取り付けることができる。よって、カバー本体３０が変形しないため、便器本体２の凹部２０とカバー部材３Ｂとの隙間が低減されて、意匠性を向上させることができる。
【００７５】
ここで、カバー部材３Ｂの下部において溝付き板バネ片３２３が下部構成傾斜面２１４を押圧するため、カバー部材３Ｂの上部係合片３１には、便器本体２の外側に向かう力が作用する。これにより、上部係合片３１は、下方突出部２０１の内側の面に係合される。従って、カバー部材３Ｂの上部及び下部が便器本体２に固定されることにより、カバー部材３Ｂを便器装置１に確実に装着することができる。
【００７６】
ここで、便器本体２にカバー部材３Ｂを取り付けた際には、図１６に示すように、便器装置１を斜め下方から視た場合に、カバー部材３Ｂの下方において、カバー部材３Ｂと便器本体２との間に下方隙間２０２が形成される。カバー部材３Ｂと便器本体２との間の下方隙間２０２からは、くさび部材５の貫通長孔５２１が視認される。貫通長孔５２１は、下方隙間２０２に沿って延びている。
【００７７】
これにより、便器本体２からカバー部材３Ｂを取り外す際には、図１６に示すように、カバー部材３Ｂの下方の下方隙間２０２を介して、マイナスのドライバー（図示せず）の先端を、貫通長孔５２１に挿入する。そして、貫通長孔５２１に挿入したドライバーにより、くさび部材５を、溝付き板バネ片３２３の係合溝３２３ａに沿って、便器本体２の前後方向にスライドさせる。これにより、くさび部材５がスライドされて、くさび部材５とカバー部材３の溝付き板バネ片３２３との係合を解除することができる。これにより、カバー部材３Ｂを便器本体２から取り外すことができる。
なお、カバー部材３Ｂと便器本体２との間の下方隙間２０２は、カバー部材３Ｂが便器本体２に取り付けられた場合には、図１に示すように、上方側からは視認しにくい。よって、便器装置１Ｂの意匠性を確保することができる。
【００７８】
以上説明した第２実施形態の便器装置１Ｂによれば、以下のような効果を奏する。
第２実施形態においては、凹部構成面２１と溝付き板バネ片３２３との間に配置され、溝付き板バネ片３２３と係合するくさび部材５を更に備える。
そのため、カバー部材３Ｂを便器本体２に取り付けた状態において、溝付き板バネ片３２３は、くさび部材５を介して、下部構成傾斜面２１４を押圧する。これにより、第１実施形態と同様に、カバー本体３０を変形させずに、カバー部材３Ｂを便器本体２に取り付けることができる。よって、便器本体２Ｂの凹部２０とカバー部材３Ｂとの隙間が低減された状態で、カバー部材３Ｂを便器本体２に取り付けることができる。これにより、便器装置１Ｂの意匠性を向上させることができる。
【００７９】
以上、本発明の便器装置１の好ましい実施形態について説明したが、本発明は、上述した実施形態に制限されるものではなく、適宜変更が可能である。
例えば、前記第１実施形態では、板バネ片３２１は、凹部構成面２１の下部構成傾斜面２１４を押圧するように構成したが、これに限らず、凹部構成面２１のいずれの面を押圧するように構成してもよい。例えば、板バネ片３２１は、前部構成傾斜面２１１を押圧するように構成してもよく、後部構成垂直面２１２を押圧するように構成してもよく、上部構成面２１５を押圧するように構成してもよい。
【００８０】
また、前記実施形態では、弾性部（板バネ片３２１、溝付き板バネ片３２３）が押圧する面を、下り傾斜（凹部２０の奥側から手前側に向かうにしたがって下方に下るように傾斜）する下部構成傾斜面２１４としたが、これに限らない。弾性部（板バネ片３２１、溝付き板バネ片３２３）が押圧する面は、例えば、上り傾斜（凹部２０の奥側から手前側に向かうにしたがって上方に上るように傾斜）した傾斜面でもよく、水平面でもよく、湾曲した面でもよい。
【００８１】
また、前記実施形態では、便器装置１を、壁掛け式の便器装置としたが、これに限らず、床置き式の便器装置としてもよい。
【符号の説明】
【００８２】
１，１Ｂ  便器装置
２  便器本体
３，３Ａ，３Ｂ  カバー部材
４  ゴム紐（弾性接続部材）
５  くさび部材
２０  凹部
２３  貫通部
２１  凹部構成面
３０  カバー本体
３１  上部係合片（係合部）
２１４  底部側傾斜面（凹部構成面）
３２１  板バネ片（弾性部）
３２３  溝付き板バネ片（弾性部）
【図１】
2017040046.tif 000003
【図２】
2017040046.tif 000004
【図３】
2017040046.tif 000005
【図４】
2017040046.tif 000006
【図５】
2017040046.tif 000007
【図６】
2017040046.tif 000008
【図７】
2017040046.tif 000009
【図８Ａ】
2017040046.tif 000010
【図８Ｂ】
2017040046.tif 000011
【図８Ｃ】
2017040046.tif 000012
【図９】
2017040046.tif 000013
【図１０】
2017040046.tif 000014
【図１１】
2017040046.tif 000015
【図１２】
2017040046.tif 000016
【図１３】
2017040046.tif 000017
【図１４】
2017040046.tif 000018
【図１５】
2017040046.tif 000019
【図１６】
2017040046.tif 000020